(57)【特許請求の範囲】
【請求項１】
表示情報を表示可能な表示情報表示手段と、この表示情報表示手段が表示した表示情報を照明可能な表示情報照明手段とを備えた無線通信装置において、
キー操作を識別可能なキー操作識別手段と、動画像の終了を示す終了データを含んだ動画像を記憶するメモリ部と、前記表示情報が前記動画像であるときに、その動画像の終了を前記終了データに基づいて判定する終了判定手段と、前記動画像を表示するためのキー操作が実行された際には、前記表示情報表示手段による動画像の表示動作および前記表示情報照明手段の照明動作を略同時に開始させる制御手段とを備え、
前記制御手段は、前記動画像の終了を前記終了判定手段が前記終了データに基づき判定した際には、前記表示情報表示手段による前記動画像の表示動作および前記表示情報照明手段の前記照明動作を略同時に終了させることを特徴とする無線通信装置。
【請求項２】
表示情報を表示可能な表示情報表示手段と、この表示情報表示手段が表示した表示情報を照明可能な表示情報照明手段とを備えた無線通信装置において、
キー操作を識別可能なキー操作識別手段と、動画像の終了を示す終了データを含んだ動画像を記憶するメモリ部と、前記表示情報が前記動画像であるときに、その動画像の終了を前記終了データに基づいて判定する終了判定手段と、前記動画像を表示するためのキー操作が実行された際には、前記表示情報表示手段による動画像の表示動作および前記表示情報照明手段の照明動作を略同時に開始させる制御手段とを備え、
前記制御手段は、前記動画像の終了を前記終了判定手段が前記終了データに基づき判定した際には、前記表示情報表示手段による前記動画像の表示動作を終了させた後、前記表示情報照明手段の前記照明動作を終了させることを特徴とする無線通信装置。
【請求項３】
表示情報を表示可能な表示情報表示手段と、この表示情報表示手段が表示した表示情報を照明可能な表示情報照明手段とを備えた無線通信装置において、
キー操作を識別可能なキー操作識別手段と、動画像の終了を示す終了データを含んだ動画像を記憶するメモリ部と、前記表示情報が前記動画像であるときに、その動画像の終了を前記終了データに基づいて判定する終了判定手段と、前記動画像を表示するためのキー操作が実行された際には、前記表示情報表示手段による動画像の表示動作および前記表示情報照明手段の照明動作を同時に開始させる制御手段とを備え、
前記制御手段は、前記動画像の終了を前記終了判定手段が前記終了データに基づき判定した際には、前記表示情報表示手段による前記動画像の表示動作および前記表示情報照明手段の前記照明動作を略同時に終了させることを特徴とする無線通信装置。
【請求項４】
表示情報を表示可能な表示情報表示手段と、この表示情報表示手段が表示した表示情報を照明可能な表示情報照明手段とを備えた無線通信装置において、
キー操作を識別可能なキー操作識別手段と、動画像の終了を示す終了データを含んだ動画像を記憶するメモリ部と、前記表示情報が前記動画像であるときに、その動画像の終了を前記終了データに基づいて判定する終了判定手段と、前記動画像を表示するためのキー操作が実行された際には、前記表示情報表示手段による動画像の表示動作および前記表示情報照明手段の照明動作を同時に開始させる制御手段とを備え、
前記制御手段は、前記動画像の終了を前記終了判定手段が前記終了データに基づき判定した際には、前記表示情報表示手段による前記動画像の表示動作を終了させた後、前記表示情報照明手段の前記照明動作を終了させることを特徴とする無線通信装置。
【請求項５】
前記請求項１〜４において、
前記制御手段は、表示情報として動画像を前記表示情報表示手段に表示させるためのキー操作とは異なる操作が実行された際には、タイマーをスタートして所定時間だけ前記表示情報照明手段の照明動作を行うことを特徴とする請求項１ないし４のいずれか１つに記載の無線通信装置。
【発明の詳細な説明】
【０００１】
【発明の属する技術分野】
本発明は、表示情報を表示可能な表示情報表示手段と、この表示情報表示手段が表示した表示情報を照明可能な表示情報照明手段とを備えた例えば携帯電話装置などの無線通信装置に関する。
【０００２】
【発明が解決しようとする課題】
近年、電気通信技術の進歩に伴って、携帯電話装置などの無線通信装置が広く普及している。ところで、携帯電話装置は、一般的には、発信者電話番号や、メモリダイヤルに登録されている電話番号および登録名（人名）などを表示するための液晶ディスプレイを備えている。
【０００３】
さて、この種の液晶ディスプレイは、一般的には、バックライトと組合わされて配設されている。液晶ディスプレイは、液晶の光学的状態を局部的に変化させることにより、文字や数字などを示す表示要素を生成し、その表示要素を複数個組合わせて表示することにより、発信者電話番号などを表示情報として表示するようになっており、バックライトは、この液晶ディスプレイを照明することにより、液晶ディスプレイに表示されている表示情報を照明するようになっている。これにより、ユーザは、液晶ディスプレイに表示されている表示情報がバックライトにより照明されることにより、例えば暗所に居るような場合であっても、液晶ディスプレイに表示されている表示情報を鮮明に認識できるようになっている。
【０００４】
一方、近年では、様々な機能を有する携帯電話装置が提供されており、その一つとして、表示情報として例えばキャラクターが動く様子を示すアニメーション（動画像）を液晶ディスプレイに表示させるように構成したものもある。この種の携帯電話装置によれば、アニメーションを液晶ディスプレイに表示させることにより、携帯電話装置に娯楽性を持たせることができ、ユーザは、携帯電話装置を簡易な娯楽機として使用できるという利点がある。
【０００５】
ところで、従来の携帯電話装置は、バックライトが点灯している状態にあるときには、消費電力の低減化などの理由により、最後のキー操作が実行された時点から所定時間（例えば１０秒間）が経過すると、バックライトが自動的に消灯するようになっていた。
【０００６】
しかしながら、これでは、ユーザがアニメーションを液晶ディスプレイに表示させているときにも、最後のキー操作が実行された時点から所定時間（例えば１０秒間）が経過してしまうと、バックライトが自動的に消灯してしまうことになり、つまり、アニメーションが１０秒を越えて継続するものでは、アニメーションの途中でバックライトが消灯してしまうことになる。そうなると、例えば暗い場所に居るような場合には、これ以降、アニメーションを鮮明に認識することが困難になるなど、従来のものは、このような点で使い勝手に劣っていた。
【０００７】
本発明は、上記した事情に鑑みてなされたものであり、その目的は、動画像が表示している際には、動画像の表示が終了するまで、その動画像を鮮明に認識することができ、それにより、使い勝手の向上を図ることができる無線通信装置を提供することにある。
【０００８】
【課題を解決するための手段】
請求項１、３記載の発明によれば、動画像の終了を終了データに基づき判定すると、制御手段は、表示情報表示手段による動画像の表示動作および表示情報照明手段の照明動作を略同時に終了させる。
【００１０】
また、請求項２、４記載の発明によれば、動画像の終了を終了データに基づき判定した際には、表示情報表示手段による動画像の表示動作を終了させた後、表示情報照明手段の照明動作を終了させる。
【００１６】
また、請求項５記載の発明では、前記制御手段は、表示情報として動画像を前記表示情報表示手段に表示させるためのキー操作とは異なる操作が実行された際には、タイマーをスタートして所定時間だけ前記表示情報照明手段の照明動作を行うことを特徴とする。
【００２０】
すなわち、このものによれば、表示情報が動画像であるときには、表示情報として動画像が表示情報表示手段に表示されている間は、その表示情報として表示されている動画像が表示情報照明手段により照明されることになる。したがって、ユーザは、動画像の表示が終了するまで、表示情報として表示されている動画像を鮮明に認識することができ、これにより、使い勝手の向上を図ることができる。
【００２１】
【発明の実施の形態】
以下、本発明を携帯電話装置に適用した一実施例について、図面を参照して説明する。まず、図２は、携帯電話装置の外観を示している。携帯電話装置１にあって筐体２の表面側には、通話開始キー、リダイヤルキー、通話終了キー、「０」〜「９」の数字キー、＊（アスタリスク）キー、＃（シャープ）キー、Ｆ（ファンクション）キーなどの各種のキーが配列されてなるキーパッド３、液晶ディスプレイ４（本発明でいう表示情報表示手段）、マイク５、レシーバ６、ＬＥＤ７が配設されている。また、筐体２の内部にあって上記液晶ディスプレイ４の背面部には、バックライト８（図３参照、本発明でいう表示情報照明手段）が配設されている。さらに、筐体２の上部側には、アンテナケース部２ａが上方に突出するように一体に設けられており、そのアンテナケース部２ａの内部には、電波を放射・捕捉するアンテナ９（図３参照）が配設されている。
【００２２】
次に、図３は、上記携帯電話装置１の電気的な構成を機能ブロック図として示している。制御部１０（本発明でいうキー操作識別手段、終了判定手段および制御手段）は、マイクロコンピュータを主体として構成されており、上記制御部１０には、無線通信部１１、音声入出力部１２、キー操作検出部１３、表示制御部１４およびメモリ部１５が接続されている。
【００２３】
マイク５は、送話音声を入力すると、その送話音声を音声信号から電気信号に変換して送話信号を生成し、その送話信号を音声入出力部１２に出力するようになっており、音声入出力部１２は、マイク５から送話信号が与えられると、その与えられた送話信号に増幅処理およびＡ／Ｄ変換処理など実行し、制御部１０を介して無線通信部１１に出力するようになっている。そして、無線通信部１１は、音声入出力部１２から制御部１０を介して送話信号が与えられると、その与えられた送話信号にベースバンド処理および無線処理などを実行し、アンテナ９から所定の周波数帯域（例えば１．５ＧＨｚ帯域）の電波として放射するようになっている。
【００２４】
また、無線通信部１１は、アンテナ９が所定の周波数帯域（例えば１．５ＧＨｚ帯域）の電波を捕捉すると、その電波に無線処理およびベースバンド処理などを実行して受話信号を生成し、その受話信号を制御部１０を介して音声入出力部１２に出力するようになっている。そして、音声入出力部１２は、無線通信部１１から制御部１０を介して受話信号が与えられると、その与えられた受話信号にＤ／Ａ変換処理および増幅処理などを実行し、レシーバ６に出力するようになっており、レシーバ６は、音声入出力部１２から受話信号が与えられると、その与えられた受話信号を電気信号から音声信号に変換して受話音声を生成し、その受話音声を出力するようになっている。
【００２５】
キー操作検出部１３は、ユーザがキーパッド３によりキー操作を実行したことに応じて、そのキー操作に対応するキー操作検出信号を制御部１０に出力するようになっており、制御部１０は、キー操作検出部１３からキー操作検出信号が与えられると、その与えられたキー操作検出信号を識別し、その識別結果に応じて所定処理を実行するようになっている。
【００２６】
表示制御部１４は、制御部１０から表示指令信号が与えられると、その与えられた表示指令信号を識別し、その識別結果に応じて液晶ディスプレイ４およびバックライト８を制御するようになっている。すなわち、液晶ディスプレイ４は、制御部１０から表示制御部１４に表示指令信号が与えられると、その表示指令信号に応じて表示情報を表示するようになっており、また、バックライト８は、その表示指令信号に応じて点灯・消灯するようになっている。
【００２７】
メモリ部１５は、所定の記憶領域にメモリダイヤルとしての電話番号および登録名（人名）や、アニメーション（動画像）を構成する動画像データを記憶可能に構成されている。そして、制御部９は、実行プログラムを記憶しており、その実行プログラムに記述されたアルゴリズムにしたがって、詳しくは後述する所定処理を実行するようになっている。また、この制御部９は、タイマ機能を有している。
【００２８】
次に、上記した構成の作用について、図１に示すフローチャートを参照して説明する。携帯電話装置１において、制御部１０は、待受処理を実行しているときに、キー操作が実行されたことを検出すると、ステップＳ１において「ＹＥＳ」と判定し、そのキー操作がアニメーションを液晶ディスプレイ４に表示させるためのものであるか否かを判定する（ステップＳ２）。
【００２９】
さて、ここで、その実行されたキー操作がアニメーションを表示させるためのものである場合には、制御部１０は、ステップＳ２において「ＹＥＳ」と判定し、メモリ部１５に記憶されている動画像データのうちから必要な動画像データを読出し、次いで、表示指令信号を表示制御部１４に出力することにより、液晶ディスプレイ４に表示情報としてアニメーションの表示を開始させ（ステップＳ３）、また、バックライト８を点灯させる（ステップＳ４）。これにより、アニメーションが液晶ディスプレイ４に表示されると共に、その表示されるアニメーションがバックライト８により照明されるようになり、ユーザは、アニメーションを鮮明に認識することが可能になる。
【００３０】
次いで、制御部１０は、メモリ部１５から読出している動画像データがアニメーションの終了を示す終了データであるか否かを判定する（ステップＳ５）。ここで、動画像データが終了データでない場合には、制御部１０は、ステップＳ５において「ＮＯ」と判定し、メモリ部１５から次の動画像データを読出すことにより、アニメーションの表示を更新する。
【００３１】
そして、動画像データが終了データとなった場合には、制御部１０は、ステップＳ５において「ＹＥＳ」と判定し、表示指令信号を表示制御部１４に出力することにより、アニメーションの表示を終了させ（ステップＳ６）、また、バックライト８を消灯させる（ステップＳ７）。
【００３２】
これに対して、実行されたキー操作がアニメーションを表示させるためのものでない場合、つまり、例えば、実行されたキー操作が発信するためにダイヤル番号を入力するためのものである場合には、制御部１０は、ステップＳ２において「ＮＯ」と判定し、表示指令信号を表示制御部１４に出力することにより、液晶ディスプレイ４に表示情報としてキー操作に応じた表示情報の表示を開始させ（ステップＳ８）、つまり、この場合であれば、入力されたダイヤル番号を表示させ、また、バックライト８を点灯させ、さらには、タイマ（例えば１０秒を計時するタイマ）をスタートさせる（ステップＳ９）。これにより、ユーザが入力したダイヤル番号が液晶ディスプレイ４に表示されると共に、その表示されるダイヤル番号がバックライト８により照明されるようになり、ユーザは、ダイヤル番号を鮮明に認識することが可能になる。
【００３３】
次いで、制御部１０は、タイマがタイムアップしたか否かを判定し（ステップＳ１０）、タイマがタイムアップした場合には、ステップＳ１０において「ＹＥＳ」と判定し、表示指令信号を表示制御部１４に出力することにより、バックライト８を消灯させる（ステップＳ１１）。
【００３４】
このように本実施例によれば、携帯電話装置１において、アニメーションを表示させるためのキー操作が実行された際には、アニメーションが終了した後に、バックライト８が消灯されるように構成したので、アニメーションが表示されている間は、表示されているアニメーションがバックライト８により照明されるようになり、ユーザは、アニメーションが終了するまで、アニメーションを鮮明に認識することができ、これにより、使い勝手の向上を図ることができる。
【００３５】
また、この場合、アニメーションを表示させるためのキー操作とは異なるキー操作が実行された際には、タイマーをスタートさせ、タイムアップしたときにバックライト８が消灯されるように構成したので、不必要な電力が消費されることを回避することができ、消費電力の低減化を図ることができる。
【００３６】
本発明は、上記した実施例にのみ限定されるものでなく、次のように変形または拡張することができる。無線通信装置としては、携帯電話装置に限らず、液晶ディスプレイとバックライトとが組合わされているものであり、液晶ディスプレイにアニメーションを表示する機能を有するものであれば、ＰＨＳ（Ｐｅｒｓｏｎａｌ  Ｈａｎｄｙｐｈｏｎｅ  Ｓｙｓｔｅｍ）などの他のものであっても良い。表示情報照明手段としては、液晶ディスプレイの背面部に設けるバックライトに限らず、液晶ディスプレイの正面部に設けるライトであっても良い。タイマは、１０秒を計時するタイマに限らず、それ以外の秒数を計時するタイマであっても良い。
【図面の簡単な説明】
【図１】本発明の一実施例を示すもので、制御内容を示すフローチャート
【図２】外観斜視図
【図３】電気的構成を示す機能ブロック図
【符号の説明】
図面中、１は携帯電話装置（無線通信装置）、４は液晶ディスプレイ（表示情報表示手段）、８はバックライト（表示情報照明手段）、１０は制御部（キー操作識別手段、終了判定手段、制御手段）である。
【図１】
0004117471.tif 000002
【図２】
0004117471.tif 000003
【図３】
0004117471.tif 000004